(57)【要約】【課題】この発明は、属性テーブルの登録作業が容易となるとともに登録漏れが発生しにくくなる部品図面管理システムを提供することを目的とする。【解決手段】新規に作成しようとする部品図面の属性を図面作成者に入力させるための属性入力手段、属性入力手段によって入力された属性に該当する属性を有する部品図面を検索する検索手段、検索手段により該当する部品図面が見つからなかった場合には、新規に作成しようとする部品図面のファイル名を生成するファイル名生成手段、ファイル名生成手段によって生成されたファイル名と属性入力手段によって入力された属性とを含む属性テーブルを作成して登録する登録手段を備えている。【選択図】  図１
2008059474.tif 000002
【特許請求の範囲】
【請求項１】
既に作成された部品図面のファイルを記憶した第１記憶手段、
第１記憶手段に記憶されている部品図面毎に生成された属性テーブルであって、その部品図面のファイル名および属性を含む属性テーブル、を記憶した第２記憶手段、
新規に作成しようとする部品図面の属性を図面作成者に入力させるための属性入力手段、
属性テーブルに基づいて、属性入力手段によって入力された属性に該当する属性を有する部品図面を検索する検索手段、
検索手段により該当する部品図面が見つからなかった場合には、新規に作成しようとする部品図面のファイル名を生成するファイル名生成手段、
ファイル名生成手段によって生成されたファイル名と属性入力手段によって入力された属性とを含む属性テーブルを作成して第２記憶手段に登録する登録手段、および
登録手段によって属性テーブルが登録された後に、図面作成ツールを起動させるとともに、起動後の図面作成ツールに、新規に作成される部品図面のファイル名として、ファイル名生成手段によって生成されたファイル名を与える図面作成ツール制御手段、
を備えていることを特徴とする部品図面管理システム。
【請求項２】
検索手段により該当する部品図面が見つかった場合には、見つかった部品図面の属性を表示させる表示手段、
見つかった部品図面の属性が表示された後において、図面作成者により上記新規に作成しようとする部品図面を作成する旨の入力があった場合には、新規に作成しようとする部品図面のファイル名を生成した後、上記登録手段および上記図面作成ツール制御手段による処理を実行させる手段を備えていることを特徴とする請求項２に記載の部品図面管理システム。
【請求項３】
図面作成ツール制御手段は、登録手段によって生成された属性テーブル内の属性情報を、図面自動作成のために起動後の図面作成ツールに与える手段を備えていることを特徴とする請求項１乃至２に記載の部品図面管理システム。
【請求項４】
属性入力手段は、部品図面のカテゴリーが予め複数種類に分類されており、各カテゴリー毎にそのカテゴリーに対応した属性を入力させるための属性入力用テンプレートを記憶した第３記憶手段、図面作成者に新規に作成しようとする部品図面のカテゴリーを、予め定められたカテゴリーのうちから選択させる選択手段、および選択手段によってカテゴリーが選択された場合には、選択されたカテゴリーに対応する属性入力用テンプレートを表示させる手段を備えていることを特徴する請求項１乃至３に記載の部品図面管理システム。
【請求項５】
各属性入力用テンプレートには、各属性入力項目のうち、属性が数値で与えられる属性入力項目については、検索時の許容幅を入力するための項目が設けられていることを特徴とする請求項４に記載の部品図面管理システム。
【発明の詳細な説明】
【技術分野】
【０００１】
この発明は、ＣＡＤ等の図面作成ツールを用いて作成した部品図面を管理する部品図面管理システムに関する。
【背景技術】
【０００２】
ＣＡＤ等の図面作成ツールを用いて作成した部品図面を管理する部品図面管理システムでは、作成済の部品図面のファイル名、その部品図面の名称、その部品図面に応じた各種サイズ等の属性からなる属性テーブルを登録させる機能と、所定の属性を有する部品図面を検索する機能を備えている。
【０００３】
ところで、部品図面の作成者は、新規の部品図面を作成する際には、その部品図面と同一またはその部品図面と代替可能な部品図面が既に登録されているか否かを調べるために、新規の部品図面に対応する属性を入力して、検索を行なうといったことが通常行なわれている。
【０００４】
図面作成者は、作成しようとする部品図面と同一またはその部品図面と代替可能な部品図面が登録されていない場合にのみ、新規の部品図面を作成する。そして、新規の部品図面を作成した後に、図面作成者は属性テーブルの登録作業を行なう。つまり、図面作成者が、部品図面管理システムの動作モードを登録モードとし、作成した部品図面を指定するとともに作成した部品図面の名称、属性を入力することにより、作成した部品図面のファイル名、その部品図面の名称、その部品図面に応じた属性からなる属性テーブルが作成されて登録される。
【０００５】
従来の部品図面管理システムでは、作成された部品図面に対応した属性テーブルを登録するためには、部品図面作成後に属性の入力を伴う登録作業を行なう必要があり、その登録作業が面倒であるという問題があるとともに、登録漏れが発生しやすいという問題がある。
【特許文献１】特開平８−１４７１５３号公報
【発明の開示】
【発明が解決しようとする課題】
【０００６】
この発明は、属性テーブルの登録作業が容易となるとともに登録漏れが発生しにくくなる部品図面管理システムを提供することを目的とする。
【課題を解決するための手段】
【０００７】
請求項１に記載の発明は、既に作成された部品図面のファイルを記憶した第１記憶手段、第１記憶手段に記憶されている部品図面毎に生成された属性テーブルであって、その部品図面のファイル名および属性を含む属性テーブル、を記憶した第２記憶手段、新規に作成しようとする部品図面の属性を図面作成者に入力させるための属性入力手段、属性テーブルに基づいて、属性入力手段によって入力された属性に該当する属性を有する部品図面を検索する検索手段、検索手段により該当する部品図面が見つからなかった場合には、新規に作成しようとする部品図面のファイル名を生成するファイル名生成手段、ファイル名生成手段によって生成されたファイル名と属性入力手段によって入力された属性とを含む属性テーブルを作成して第２記憶手段に登録する登録手段、および登録手段によって属性テーブルが登録された後に、図面作成ツールを起動させるとともに、起動後の図面作成ツールに、新規に作成される部品図面のファイル名として、ファイル名生成手段によって生成されたファイル名を与える図面作成ツール制御手段を備えていることを特徴とする。
【０００８】
請求項２に記載の発明は、請求項１に記載の部品図面管理システムにおいて、検索手段により該当する部品図面が見つかった場合には、見つかった部品図面の属性を表示させる表示手段、見つかった部品図面の属性が表示された後において、図面作成者により上記新規に作成しようとする部品図面を作成する旨の入力があった場合には、新規に作成しようとする部品図面のファイル名を生成した後、上記登録手段および上記図面作成ツール制御手段による処理を実行させる手段を備えていることを特徴とする。
【０００９】
請求項３に記載の発明は、請求項１乃至２に記載の部品図面管理システムにおいて、  図面作成ツール制御手段は、登録手段によって生成された属性テーブル内の属性情報を、図面自動作成のために起動後の図面作成ツールに与える手段を備えていることを特徴とする。
【００１０】
請求項４に記載の発明は、請求項１乃至３に記載の部品図面管理システムにおいて、  属性入力手段は、部品図面のカテゴリーが予め複数種類に分類されており、各カテゴリー毎にそのカテゴリーに対応した属性を入力させるための属性入力用テンプレートを記憶した第３の記憶手段、図面作成者に新規に作成しようとする部品図面のカテゴリーを、予め定められたカテゴリーのうちから選択させる選択手段、および選択手段によってカテゴリーが選択された場合には、選択されたカテゴリーに対応する属性入力用テンプレートを表示させる手段を備えていることを特徴する。
【００１１】
請求項５に記載の発明は、請求項４に記載の部品図面管理システムにおいて、各属性入力用テンプレートには、各属性入力項目のうち、属性が数値で与えられる属性入力項目については、検索時の許容幅を入力するための項目が設けられていることを特徴とする。
【発明の効果】
【００１２】
この発明によれば、属性テーブルの登録作業が容易となるとともに登録漏れが発生しにくくなる。
【発明を実施するための最良の形態】
【００１３】
以下、図面を参照して、この発明の実施例について説明する。
【実施例１】
【００１４】
図１は、部品図面管理システムの構成を示している。
【００１５】
部品図面管理システムは、部品図面管理手段（部品図面管理ツール）１、図面作成手段（図面作成ツール）２、データべース３、表示装置４、入力装置５を備えている。部品図面管理手段１は、部品図面管理プログラムが起動されることにより、部品図面検索処理を実行する。図面作成手段２は、ＣＡＤ等の図面作成のためのアプリケーションソフトウエア（図面作成用アプリケーションソフト）が起動されることにより、図面作成のための処理を実行する。
【００１６】
データベース３には、作成済の複数の部品図面ファイルからなる図面ファイル群３１と、作成済の部品図面のファイル毎に生成された属性テーブルからなる属性テーブル群３２と、カテゴリー別の属性入力テンプレートからなるテンプレート群３３とが格納されている。
【００１７】
図２の（ａ）、（ｂ）、（ｃ）は、属性テーブルの例を示している。
【００１８】
属性テーブルは、この例では、カテゴリー別に登録されている。
【００１９】
図２の（ａ）は、カテゴリーが”AIR CAP BAG"である部品図面の属性テーブルの例を示している。この属性テーブルは、カテゴリー、ITEM No.( ファイル名) 、名称、開口幅、奥行き、材質および厚みの情報からなる。これらの情報のうち、カテゴリー、開口幅、奥行き、材質および厚みが、カテゴリーが”AIR CAP BAG"である部品図面の属性となる。ITEM No.( ファイル名) および名称は属性ではない。
【００２０】
図２の（ｂ）は、カテゴリーが”GEAR" である部品図面の属性テーブルの例を示している。この属性テーブルは、カテゴリー、ITEM No.( ファイル名) 、名称、歯数、モジュール、内径、ネジレ角、ネジレ方向および材質の情報からなる。これらの情報のうち、カテゴリー、歯数、モジュール、内径、ネジレ角、ネジレ方向および材質が、カテゴリーが”GEAR" である部品図面の属性となる。ITEM No.( ファイル名) および名称は属性ではない。
【００２１】
図２の（ｃ）は、カテゴリーが”CLUTCH" である部品図面の属性テーブルの例を示している。この属性テーブルは、カテゴリー、ITEM No.( ファイル名) 、名称、入力電圧、歯数、モジュール、内径、トルク、コネクタおよび電線長の情報からなる。これらの情報のうち、カテゴリー、入力電圧、歯数、モジュール、内径、トルク、コネクタおよび電線長が、カテゴリーが”CLUTCH" である部品図面の属性となる。ITEM No.( ファイル名) および名称は属性ではない。
【００２２】
図３（ａ）は、カテゴリーが”AIR CAP BAG"である部品図面の属性入力テンプレートの例を示し、図３（ｂ）は属性入力テンプレートに属性等が入力された状態を示している。      
【００２３】
属性入力テンプレートには、名称入力欄と、開口幅、奥行き、材質および厚みをそれぞれ入力するための属性入力欄と、検索時の許容範囲を入力するための許容範囲入力欄とが設けられている。許容範囲入力欄は、形式的には全ての項目（名称入力欄および各属性入力欄）に対して設けられているが、属性として数値が入力される項目について有効となっている。
【００２４】
図４は、部品図面管理手段１による部品図面検索処理の手順を示している。
【００２５】
まず、部品図面管理手段１は、図５に示すようなプルダウンメニューにより、新規の部品図面を作成しようとする者（図面作成者）に、作成しようとする部品図面のカテゴリーを選択させる。
【００２６】
カテゴリーが選択されると（ステップＳ１でＹＥＳ）、部品図面管理手段１は、選択されたカテゴリーに対応する属性入力テンプレートを、戻るボタンおよびＯＫボタンとともに表示装置４に表示させ（ステップＳ２）、図面作成者に名称、属性、許容範囲を入力させる。
【００２７】
図面作成者は、属性入力テンプレートへの名称、属性、許容範囲の入力が完了すると、ＯＫボタンを押す。ＯＫボタンが押されると（ステップＳ３でＹＥＳ）、部品図面管理手段１は、図面作成者によって選択されたカテゴリーならびに属性入力テンプレートに入力された属性および許容範囲と、属性テーブル群３２とに基づいて、検索処理を行なう（ステップＳ４）。つまり、既に登録されている部品図面のうち、カテゴリーが図面作成者によって選択されたカテゴリーと同一であり、かつ各属性値（材質も含む）が入力された対応する属性の許容範囲内である部品図面の検索を行なう。
【００２８】
上記ステップＳ４の検索処理を行なった結果、該当する部品図面が見つかった場合には（ステップＳ５でＹＥＳ）、部品図面管理手段１は、見つかった部品図面の属性テーブルを表示する（ステップＳ６）。図面作成者は、表示された属性テーブルを見て、今回作成しようとする部品図面の代わりに既に作成されている部品図面を使用するか、それとも今回作成しようとする部品図面を新規に作成するかを検討し、既に作成されている部品図面を使用する場合には図面を作成しない旨を入力するための操作を行ない、部品図面を新規に作成する場合には図面作成を行なう旨を入力するための操作を行なう。
【００２９】
図面を作成しない旨を入力するための操作が行なわれた場合には（ステップＳ７でＹＥＳ）、今回の処理を終了する。
【００３０】
図面を作成する旨を入力するための操作が行なわれた場合には（ステップＳ８でＹＥＳ）、ステップＳ９に移行する。
【００３１】
上記ステップＳ４の検索処理を行なった結果、該当する部品図面が見つからなかった場合には（ステップＳ５でＮＯ）、ステップＳ９に移行する。
【００３２】
ステップＳ９では、部品図面管理手段１は、新規に作成しようとする部品図面のITEM No.( ファイル名) を生成する。この際、部品図面管理手段１は、今までに与えたITEM No.( ファイル名) とは異なるファイル名を生成する。そして、生成したITEM No.( ファイル名) と、上記ステップＳ１で選択されたカテゴリーと、上記ステップＳ２で入力された名称および属性とに基づいて、属性テーブルを作成してデータべース３に登録する（ステップＳ１０）。
【００３３】
そして、部品図面管理手段１は、図面作成手段２を起動（図面作成用アプリケーションソフトを起動）させるとともに、図面作成手段２に対してステップＳ１０で作成した属性テーブル内のファイル名を今回作成される部品図面のデータファイルのファイル名として与える（ステップＳ１１）。これにより、部品図面管理手段１による処理は終了する。また、図面作成手段２によって図面作成画面が表示されるので、図面作成者は、図面作成画面上で図面を作成することになる。作成された部品図面は、図面作成手段２により、図面ファイルとしてデータベース２に登録されるが、そのファイル名として、ステップＳ１１で与えられたファイル名（ステップＳ９で自動的に生成されたファイル名）が使用される。
【００３４】
上記実施例では、検索のために図面作成者が入力した属性に基づいて属性テーブルが自動的作成されて登録されるので、部品図面作成後に属性テーブルを登録するための登録作業が不要となる。したがって、属性テーブルの登録作業が不要となるので、属性テーブルの登録漏れが発生しなくなる。
【００３５】
なお、上記実施例では、属性入力テンプレートには、名称入力欄が設けられているが、属性入力テンプレートに名称入力欄を設けなくてもよい。この場合には、ステップＳ９に移行したときに、名称入力画面を表示させ、図面作成者に名称を入力させるようにしてもよい。
【００３６】
なお、上記ステップＳ１１においては、部品図面管理手段１は、図面作成手段２に対して、ステップＳ９で作成した属性テーブル内のファイル名を与えているが、ステップＳ１０で作成した属性テーブル内の他の情報、つまり、名称および属性をも図面作成手段２に与えるようにしてもよい。
【００３７】
図面作成手段２は、部品図面管理手段１から与えられた属性テーブル内の他の情報に基づいて可能な範囲で自動的に作図を行なう。部品図面管理手段１から図面作成手段２に与えられた属性テーブル内の情報が例えば図２（ａ）で示すような内容である場合には、図６に示すように、属性テーブル内の開口幅、奥行きに基づいて図面を自動的に作成するとともに、属性テーブル内のITEM No.( ファイル名) 、名称、材質、厚み等を図面の右下に設けられる図面説明表の所定欄に自動的に記入する。
【図面の簡単な説明】
【００３８】
【図１】部品図面管理システムの構成を示すブロック図である。
【図２】属性テーブルの例を示す模式図である。
【図３】カテゴリーが”AIR CAP BAG"である部品図面の属性入力テンプレートの例を示す模式図である。
【図４】部品図面管理手段１による部品図面検索処理の手順を示すフローチャートである。
【図５】カテゴリーを選択させるためのプルダウンメニューの例を示す模式図である。
【図６】部品図面管理手段１から図面作成手段２に与えられた属性テーブル内の情報が例えば図２（ａ）で示すような内容である場合に、図面作成手段２で自動的に作成される図面の一例を示す模式図である。
【符号の説明】
【００３９】
１  部品図面管理手段
２  図面作成手段（図面作成ツール）
３  データべース
４  表示装置
３１  図面ファイル群
３２  属性テーブル群
３３  テンプレート群
【図１】
2008059474.tif 000003
【図２】
2008059474.tif 000004
【図３】
2008059474.tif 000005
【図４】
2008059474.tif 000006
【図５】
2008059474.tif 000007
【図６】
2008059474.tif 000008